(57)【要約】【課題】外壁面材の交換を施工容易で能率良く行っていくことができる外壁面材の脱着式取付け構造を提供する。【解決手段】左右に隣り合う外壁面材３，３間の縦目地６の背後に備えられた面材取付け用下地としての柱２に、面材取付け金物としての帯板状の長物からなる抑え材７がビス１０で取り付けられ、目地６を挟む両外壁面材３，３の側縁部に設けられた係合用段面８，８を抑え材７の両側縁部が抑えて目地６を挟む両外壁面材３，３を係合保持しており、該抑え材７とビス１０は、屋外側からの脱着を目地６を通じて行えるようになされている。また、抑え材７に保持部１４が備えられ、該保持部１４にガスケットからなる１次止水材１１が保持されている。【選択図】      図１
2006225908.tif 000002
【特許請求の範囲】
【請求項１】
隣り合う外壁面材間の目地の背後に備えられた面材取付け用下地に面材取付け金物が取り付けられ、
目地を挟む一方及びもう一方の外壁面材の側縁部が前記取付け金物に係合保持され、
該係合保持状態の解除と係合保持状態の形成とを屋外側から目地を通じて行うことができるようになされていることを特徴とする、外壁面材の脱着式取付け構造。
【請求項２】
目地を挟む両外壁面材の各側面部の厚さ方向中間部に、屋外側に面する係合用段面が備えられ、
前記取付け金物は、抑え材を有し、
該抑え材は、屋外側からの脱着が可能で、その両側縁部を前記両外壁面材の係合用段面に係合させた状態で、屋外側から脱着可能なビス等の締結具により面材取付け用下地に取り付けられて、両外壁面材を係合保持している請求項１に記載の、外壁面材の脱着式取付け構造。
【請求項３】
前記外壁面材間の目地内において、前記抑え材よりも屋外側の領域部分に乾式の第１止水材が設置され、該第１止水材は、抑え材に備えられた保持部に保持されている請求項２に記載の、外壁面材の脱着式取付け構造。
【請求項４】
前記抑え材が長物からなり、該抑え材と両外壁面材の係合用段面との間に第２止水材が挟み込まれ、該第２止水材で外壁面材間の目地が止水されている請求項２又は３に記載の、外壁面材の脱着式取付け構造。
【請求項５】
前記目地が左右の外壁面材間の縦目地からなり、階上の左右の外壁面材間の縦目地と、階下の左右の外壁面材間の縦目地とが同一直線上に位置し、
前記抑え材が、長物からなって、階上階下の両縦目地内に通しで設置され、第１止水材が階間部分の縦目地内において抑え材をバッカーとして設置されている請求項３に記載の、外壁面材の脱着式取付け構造。
【発明の詳細な説明】
【技術分野】
【０００１】
本発明は、外壁面材の脱着式取付け構造に関する。
【背景技術】
【０００２】
例えば外壁パネルを用いた外壁構造において、窯業系等の外壁面材を、面材取付け用下地であるパネルフレームに取り付ける構造として、外壁面材の屋外側の面部に座掘りがなされ、そこにビスが打たれて外壁面材が面材背面側のパネルフレームに固定され、座掘り部分はパテで埋められ、最後に塗装（タッチアップ）による仕上げがなされたものは、従来より提供されている。
【発明の開示】
【発明が解決しようとする課題】
【０００３】
しかしながら、上記のような取付け構造では、外壁面材の経年変化や外壁のデザイン変更等のために外壁面材の交換を行うような場合、古い外壁パネルを取り外したのち、現場において、新たな外壁面材をパネルフレームにビスで固定するのみならず、座掘部分をパテで埋め、更にタッチアップをするという施工を行わなければならず、施工が非常に厄介であるという問題があった。
【０００４】
本発明は、上記のような問題点に鑑み、外壁面材の交換を施工容易で能率良く行っていくことができる外壁面材の脱着式取付け構造を提供することを課題とする。
【課題を解決するための手段】
【０００５】
上記の課題は、隣り合う外壁面材間の目地の背後に備えられた面材取付け用下地に面材取付け金物が取り付けられ、
目地を挟む一方及びもう一方の外壁面材の側縁部が前記取付け金物に係合保持され、
該係合保持状態の解除と係合保持状態の形成とを屋外側から目地を通じて行うことができるようになされていることを特徴とする、外壁面材の脱着式取付け構造（第１発明）によって解決される。
【０００６】
この構造では、外壁面材の経年変化や外壁のデザイン変更等のために外壁面材の交換を行う場合、古い外壁面材は、取付け金物による係合保持状態を屋外側から目地を通じて解除することにより取り外すことができ、新たな外壁面材は、屋外側から外壁目地を通じて取付け金物で係合保持状態にすることにより取り付けることができ、従来のような座掘部分に対するパテの取外しと埋込み、タッチアップ等が不要になり、外壁面材の交換を施工容易に行うことができる。
【０００７】
しかも、取付け金物は、目地を挟む一方の外壁面材の側縁部のみならず、目地を挟むもう一方の外壁面材の側縁部をも係合保持する構造となっているので、取付け金物の数を減らせて、外壁面材の交換を能率良く行っていくことができる。
【０００８】
上記の構造をより具体化した構造としては、例えば、目地を挟む両外壁面材の各側面部の厚さ方向中間部に、屋外側に面する係合用段面が備えられ、
前記取付け金物は、抑え材を有し、
該抑え材は、屋外側からの脱着が可能で、その両側縁部を前記両外壁面材の係合用段面に係合させた状態で、屋外側から脱着可能なビス等の締結具により面材取付け用下地に取り付けられて、両外壁面材を係合保持しているとよい（第２発明）。
【０００９】
この構造では、係合用段面が外壁面材の厚さ方向中間部に備えられているので、該係合用段面に係合させる抑え材が目地の外に突出するのを防ぐないしは抑えることができて、目地部分の見栄えを良好なものにする、あるいは、良好なものに仕上げることができる。
【００１０】
また、抑え材と締結具は、屋外側から脱着できるようになされているので、これらが、古い外壁面材の取外しや、新たな外壁面材の取付けの妨げになりにくく、外壁面材の交換をスムーズに行うことができる。
【００１１】
上記の構造において、外壁面材間の目地内において、前記抑え材よりも屋外側の領域部分に乾式の第１止水材が設置され、該第１止水材は、抑え材に備えられた保持部に保持されているとよい（第３発明）。
【００１２】
この構造では、目地内に抑え材が設置されることで目地内における第１止水材の設置スペースが目地の深さ方向において狭くなるが、抑え材に保持部が備えられ、第１止水材は抑え材の保持部に保持されることによって、目地内での保持状態をしっかりとしたものにすることができる。
【００１３】
また、上記の構造において、抑え材が長物からなり、該抑え材と両外壁面材の係合用段面との間に第２止水材が挟み込まれ、該第２止水材で外壁面材間の目地が止水されているとよい（第４発明）。
【００１４】
この構造では、抑え材を締結具で取付け用下地に締結すれば、同時に外壁面材間の目地を止水状態にすることができ、目地を施工容易に止水状態にすることができる。
【００１５】
また、上記の構造において、目地が左右の外壁面材間の縦目地からなり、階上の左右の外壁面材間の縦目地と、階下の左右の外壁面材間の縦目地とが同一直線上に位置し、
前記抑え材が、長物からなって、階上階下の両縦目地内に通しで設置され、第１止水材が階間部分の縦目地内において抑え材をバッカーとして設置されているのもよい（第５発明）。
【００１６】
この構造では、建物の階間胴差部において、例えば、縦目地の背後に面材取付け用の下地が存在せず、そのため第１止水材を支持するものが存在しないような場合であっても、抑え材がバッカーとなって第１止水材を背後から支持するので、階間部の縦目地内への第１止水材の設置状態を品質良好なものにすることができると共に、施工を容易にすることができる。
【発明の効果】
【００１７】
本発明は、以上のとおりのものであるから、外壁面材の交換を施工容易で能率良く行っていくことができる。また、目地の止水の施工も品質良好で施工容易なものにすることができる。
【発明を実施するための最良の形態】
【００１８】
次に、本発明の実施最良形態を図面に基づいて説明する。
【００１９】
図１〜図３に示す第１実施形態は、外壁パネルを用いたパネル式の外壁構造における外壁面材の脱着式取付け構造についてのもので、１は外壁パネル、２は柱であり、外壁パネル１は、窯業系、コンクリート系などの外壁面材３と、その背面側のパネルフレーム５とを備え、左右の外壁パネル１，１が、それらのパネルフレーム５，５で柱２を両側から挟むように設置されることで外壁を構成し、左右の外壁パネル１，１の外壁面材３，３間には上下方向に延びる外壁目地６が備えられている。
【００２０】
上記の外壁構造において、隣り合う外壁面材３，３は、それらの左右方向における側縁部が、面材取付け用下地としての柱２に取り付けられた取付け金物７に係合保持されて、建物に備えられている。
【００２１】
即ち、目地６を挟む両外壁面材３，３の各側面部の厚さ方向中間部には、屋外側に面する係合用段面８，８が備えられていて、目地６内は、係合用段面８を介して屋外側が広幅で、屋内側が狭幅につくられている。
【００２２】
一方、取付け金物７は、帯板状をした長物の抑え材からなり、該抑え材７の幅寸法は、屋外側から目地６内に入れることができ、かつ、その両側縁部を両外壁面材３，３の係合用段面８，８にわたすことができるような寸法に設定されていて、抑え材７の幅方向の中央部には、複数のビス通し孔９…が長さ方向に所定の間隔おきに備えられている。
【００２３】
該抑え材７は、一方の側縁部が一方の外壁面材３の係合用段面８と対向し、もう一方の側縁部が目地６を挟むもう一方の外壁面材３の係合用段面８と対向するように、屋外側から目地６内に設置され、そして、締結具としてのビス１０…が、屋外側から目地６を通じて抑え材７のビス通し孔９…に通され、背後の柱２に打ち込まれ、締結されることにより柱２に取り付けられ、抑え材７の両側縁部が係合用段面８，８に押し付けられて左右の外壁面材３，３を係合保持している。
【００２４】
なお、外壁面材３とパネルフレーム５とは、それらの上端部及び下端部が連結されることにより外壁パネル１を構成し、外壁面材の交換においては、それらの連結を、例えば横目地などの目地を通じて、解除したり連結状態にしたりすることができるようになされていればよい。
【００２５】
また、本実施形態では、外壁面材３，３間の目地が、次のような態様で止水状態にされている。即ち、１１は第１止水材としての１次止水材であり、１２は第２止水材としての２次止水材であり、いずれも乾式止水材からなっている。
【００２６】
１次止水材１１は、ガスケットからなっていて、次のようにして取り付けられている。即ち、上記の帯板状抑え材７の両側縁部には、屋外側に立ち上がる保持部１４，１４が備えられ、各保持部１４はその先端部に保持用の内向きのリップ部１４ａを備えている。また、１次止水材１１は、目地６を屋外側から止水状態にカバーするカバー部１１ａを備えると共に、該カバー部１１ａの背面側中央部にはくびれ部１１ｂを介して側方膨出部１１ｃが備えられている。そして、該１次止水材１１は、膨出部１１ｃがその弾力性を利用して保持部１４，１４間に嵌め込まれ、リップ部１４ａ，１４ａがくびれ部１１ｂ内に突出した状態となることで抑え材７に保持されて取り付けられている。
【００２７】
２次止水材１２は、帯板状抑え材７の両側縁部の屋内側の面部に予め取り付けられたもので、抑え材７をビス１０で柱２に締結することによって抑え材７の両側縁部と左右の外壁面材３，３の係合用段面８，８との間に圧縮状態に挟み込まれた状態にされて備えられ、抑え材７との協働により目地６を止水している。なお、抑え材７とビス１０との間にも湿式あるいは乾式の補助止水材１５が設けられている。
【００２８】
なお、１３は３次止水材であり、帯板状のベース部１３ａにヒレ１３ｂ…が備えられたもので、柱２の屋外側の面部に貼り付けられ、ヒレ１３ｂ…が左右の外壁面材３，３の背面部に弾力的に当接することで目地６を通じた屋内側への水の侵入が阻止されるようになされている。
【００２９】
上記の取付け構造では、外壁面材の経年変化や外壁のデザイン変更等のために外壁面材３…の交換を行う場合、古い外壁面材は、抑え材７による係合保持状態を屋外側から目地６を通じて解除することにより取り外すことができ、新たな外壁面材は、屋外側から目地６を通じて抑え材で係合保持状態にすることにより取り付けることができ、従来のような座掘部分に対するパテの取外しと埋込み、タッチアップ等が不要になり、外壁面材の交換を施工容易に行うことができる。
【００３０】
しかも、取付け金物としての抑え材７は、目地６を挟む一方の外壁面材３の側縁部のみならず、目地６を挟むもう一方の外壁面材３の側縁部をも係合保持する構造となっているので、取付け金物の数を減らせて、外壁面材の交換を能率良く行っていくことができる。
【００３１】
加えて、係合用段面８，８が外壁面材３，３の厚さ方向中間部に備えられているので、該係合用段面８，８に係合させる抑え材７が目地６の外に突出するのを防ぐことができて、目地部分の見栄えを１次止水材１１によって良好なものに仕上げることができる。
【００３２】
また、抑え材７とビス１０は、屋外側から脱着できるようになされているので、抑え材７とビス１０が、古い外壁面材の取外しや、新たな外壁面材の取付けの妨げになりにくく、外壁面材３の交換をスムーズに行うことができる。
【００３３】
更に、抑え材７をビス１０で柱２に締結すれば、同時に外壁面材３，３間の目地６を、２次止水材１２と抑え材７とで止水状態にすることができ、目地６を施工容易に止水状態にすることができる。
【００３４】
また、１次止水材１１については、目地６の深さ方向中間部に抑え材７が設置されることで目地６内における１次止水材１１の設置スペースが目地６の深さ方向において狭くなるが、抑え材７に保持部１４が備えられ、１次止水材１１は抑え材７の保持部１４に保持されることによって、目地６内での保持状態をしっかりとしたものにすることができる。
【００３５】
図４に示す第２実施形態は、階間胴差部分の構造についてのもので、階上の左右の外壁面材３１，３１間の縦目地６１と、階下の左右の外壁面材３２，３２間の縦目地６２とが同一直線上に位置している。また、本実施形態では、階上階下の外壁面材３１，３２間に階間外壁面材３３が備えられ、左右の階間外壁面材３３，３３間の縦目地６３も、階上階下の左右の外壁面材間の縦目地６１，６２と同一直線上に位置している。そして、抑え材７が階上、階間、階下の縦目地６１，６３，６２内に通しで設置され、抑え材７は図示しない階上の柱と階下の柱を取付け用の下地として取り付けられ、第１止水材としての１次止水材１１が、階間外壁面材３３，３３間の縦目地６３内において抑え材７をバッカーとして設置されている。
【００３６】
即ち、階間部分では、胴差の形態によって、縦目地６３の背後に柱などの面材取付け用の下地が存在せず、そのため１次止水材１１を背後から支持するものが存在しない場合があり、１次止水材１１の取付け状態が不安定になることがあるが、上記のような構造によれば、抑え材７が、階上、階間、階下の縦目地６１，６３，６２内に通しで設置され、抑え材７が階間外壁面材３３，３３間の縦目地６３部分において１次止水材１１のバッカーとして機能し、階間部分の縦目地６内への１次止水材１１の設置状態を品質良好なものにすることができると共に、施工を容易にすることができる。また、抑え材７を通しにすることで、階間部分に抑え材を取り付ける下地が存在しない場合であっても、階上階下の柱などを下地として取り付けることができる。
【００３７】
更に、抑え材７のバッカー機能によって、１次止水材として、巻物状にすることができる止水材の採用が可能になり、階上から階間を経て階下に至る範囲を一本の連続した長い１次止水材１１で止水することもできるようになって、施工を容易にすることができる。また、本実施形態では、一つの抑え材７で階上、階間、階下の外壁面材３１，３２，３３を一括して係合保持状態にすることができ、施工の能率化を図ることができる。
【００３８】
なお、階上外壁面材と階下外壁面材とが階間外壁面材を介することなく横目地を介して直接隣り合うような構造において、階上の左右の外壁面材間の縦目地と、階下の左右の外壁面材間の縦目地とを同一直線上に位置させ、抑え材を階上、階下の縦目地内に通しで設置し、１次止水材を、階間部分の縦目地内において抑え材をバッカーにして設置した構造に構成されていてもよい。
【００３９】
以上に、本発明の実施形態を示したが、本発明はこれに限られるものではなく、発明思想を逸脱しない範囲で各種の変更が可能である。例えば、上記の実施形態では、２次止水材１２との関係で、抑え材として長物の抑え材７を用いた場合を示したが、ピース物の抑え材を複数所定の間隔おきに設置して外壁面材を抑えて係合保持する構造になっていてもよい。また、上記の実施形態では、抑え材７として帯板状のものを用いた場合を示しているが、リップ付き溝形材など、各種形態の抑え材が用いられてよい。また、上記実施形態では、１次から３次の止水材１１，１２，１３を備えさせた場合を示しているが、いずれか一つ、あるいは、いずれか２つが省略された止水構造になっていてもよいし、また、他の止水材で止水されていてもよい。更に、上記の実施形態では、パネルフレーム付き外壁パネルを用いた外壁構造における外壁面材の脱着式取付け構造を示しているが、本発明の構造は、外壁パネル式以外の外壁構造における外壁面材の脱着式取付け構造として用いられてもよい。
【図面の簡単な説明】
【００４０】
【図１】第１実施形態の脱着式取付け構造を示すもので、図（イ）は段面平面図、図（ロ）は要部拡大段面平面図である。
【図２】同構造の分解断面斜視図である。
【図３】図（イ）は外壁面材の取付け方法を示す段面平面図、図（ロ）は１次止水材の取付け方法を示す段面平面図である。
【図４】第２実施形態の取付け構造を示す分解断面斜視図である。
【符号の説明】
【００４１】
２…柱（面材取付け用下地）
３…外壁面材
６…外壁目地
７…抑え材（取付け金物）
８…係合用段面
１０…ビス（締結具）
１１…１次止水材（第１止水材）
１２…２次止水材（第２止水材）
１４…保持部
【図１】
2006225908.tif 000003
【図２】
2006225908.tif 000004
【図３】
2006225908.tif 000005
【図４】
2006225908.tif 000006